(57)【特許請求の範囲】
【請求項１】
昇降路、昇降路内に配設されたロープを介して連結され昇降路内をそれぞれ反対方向に走行する乗りかごと釣合いおもり、昇降路内の上部に配設され上記ロープが巻き掛けられて上記乗りかごと釣合いおもりを駆動する駆動装置、及び昇降路内の上部に配設され上記駆動装置を制御する制御装置とを備えた機械室レスタイプのエレベータにおいて、
上記昇降路内の上部に配設された送風機と、
上記制御装置または上記駆動装置の付近に一端の吸気口が配置され他端が上記送風機の吸気側に取り付けられた吸気ダクトと、
一端が送風機の排気側に取り付けられ他端の排気口が昇降路の上部に設けられ昇降路の下方へ空気を排気するように配置された排気ダクトとを備え、
上記排気ダクトから昇降路の下方へ排気された空気は、上記駆動装置によって上記乗りかごが下降運転されることにより、昇降路内部の下方に拡散されることを特徴とするエレベータ昇降路の熱拡散装置。
【請求項２】
排気ダクトの排気口を最上階に停止した乗りかごの天井よりも下に配置したことを特徴とする請求項１記載のエレベータ昇降路の熱拡散装置。
【請求項３】
排気ダクトの長さを延長して排気口を、乗りかごが通常良く利用される昇降範囲の最上位の停止階に停止した乗りかごの天井よりも下に配置したことを特徴とする請求項１記載のエレベータ昇降路の熱拡散装置。
【請求項４】
送風機を昇降路内上部の隅角部に配置したことを特徴とする請求項１記載のエレベータ昇降路の熱拡散装置。
【請求項５】
送風機を乗りかごと平面的に重なった位置で乗りかごよりも上方に配置したことを特徴とする請求項１記載のエレベータ昇降路の熱拡散装置。
【請求項６】
吸気ダクトは二股状に分岐されて二つの吸気口を有し、一方の吸気口は制御装置の付近に、他方の吸気口は駆動装置の付近に配置したことを特徴とする請求項１記載のエレベータ昇降路の熱拡散装置。
【発明の詳細な説明】
【技術分野】
【０００１】
この発明は、昇降路内の上部に駆動装置及び制御装置を配設した機械室レスエレベータの昇降路の熱拡散装置に関するものであり、特に制御装置及び駆動装置の付近の温度上昇防止と昇降路上部の換気に関するものである。
【背景技術】
【０００２】
従来、冷気を供給する冷房ユニットを備えたエレベータの空調装置においては、冷房ユニットを昇降路上部の機械室に設置するとともに、この機械室と昇降路内との間に冷房ユニットから吹き出される冷気を導くダクトを設け、昇降路内の空気を上方より吸い込んで下方に向かって吹き出す通風機を昇降路の所定の高さ位置に設けた構成にしてある。そして、機械室に設置された冷房ユニットにより、昇降路内から吸気用ダクトを介して空気が取り入れられ、冷気が吹き出し用ダクトの吹き出し口を介して昇降路内の真下方向へ吹き出されて昇降路内を降下する。この冷気を含む空気は、昇降路の所定の高さ位置で通風機により吸気口を介して上方より吸い込まれ、排気口を介してさらに下方に向かって吹き出されて昇降路内を冷房する（例えば特許文献１参照）。【０００３】
【特許文献１】日本特開平５−１９３８６３号公報
【発明の開示】
【発明が解決しようとする課題】
【０００４】
しかしながら、上記のような従来のエレベータの空調装置では、冷房ユニットが必要であり、装置が大掛かりで消費電力も大きいために設置費用と運転費用が高価になると言う問題点があった。【０００５】
この発明は、上記のような問題点を解決するためになされたもので、簡単な装置でかつ消費電力を小さくして、設置費用と運転費用が安価なエレベータ昇降路の熱拡散装置を提供するものである。
【課題を解決するための手段】
【０００６】
この発明に係るエレベータの熱拡散装置においては、昇降路、昇降路内に配設されたロープを介して連結され昇降路内をそれぞれ反対方向に走行する乗りかごと釣合いおもり、昇降路内の上部に配設されロープが巻き掛けられて乗りかごと釣合いおもりを駆動する駆動装置、及び昇降路内の上部に配設され駆動装置を制御する制御装置とを備えた機械室レスタイプのエレベータにおいて、昇降路内の上部に配設された送風機と、制御装置または駆動装置の付近に一端の吸気口が配置され他端が送風機の吸気側に取り付けられた吸気ダクトと、一端が送風機の排気側に取り付けられ他端の排気口が昇降路の上部に設けられ昇降路の下方へ空気を排気するように配置された排気ダクトとを備え、排気ダクトから昇降路の下方へ排気された空気は、駆動装置によって乗りかごが下降運転されることにより、昇降路内部の下方に拡散されるものである。
【０００７】
また、排気ダクトの排気口を最上階に停止した乗りかごの天井よりも下に配置したものである。【０００８】
また、排気ダクトの長さを延長して排気口を、乗りかごが通常良く利用される昇降範囲の最上位の停止階に停止した乗りかごの天井よりも下に配置したものである。【０００９】
また、送風機を昇降路内上部の隅角部に配置したものである。【００１０】
また、送風機を乗りかごと平面的に重なった位置で乗りかごよりも上方に配置したものである。【００１１】
さらに、吸気ダクトは二股状に分岐されて二つの吸気口を有し、一方の吸気口は制御装置の付近に、他方の吸気口は駆動装置の付近に配置したものである。
【発明の効果】
【００１２】
この発明によれば、制御装置及び駆動装置から放出される熱を効率よく吸収してこれらの装置付近の温度上昇を防止し、昇降路上部の熱を下方に逃がして拡散する効果がある。
【図面の簡単な説明】
【００１３】
【図１】図１はこの発明の実施例１におけるエレベータ昇降路の熱拡散装置を示す縦断面図である。
【図２】図２はこの発明の実施例１におけるエレベータ昇降路の熱拡散装置を示す平面図である。
【図３】図３はこの発明の実施例２におけるエレベータ昇降路の熱拡散装置を示す縦断面図である。
【図４】図４はこの発明の実施例２におけるエレベータ昇降路の熱拡散装置を示す平面図である。
【図５】図５はこの発明の実施例３におけるエレベータ昇降路の熱拡散装置を示す縦断面図である。
【図６】図６はこの発明の実施例３におけるエレベータ昇降路の熱拡散装置を示す平面図である。
【図７】図７はこの発明の実施例４におけるエレベータ昇降路の熱拡散装置を示す縦断面図である。
【図８】図８はこの発明の実施例４におけるエレベータ昇降路の熱拡散装置を示す平面図である。
【符号の説明】
【００１４】
１  昇降路
２  乗りかご
３  釣合いおもり
４  駆動装置
５  ロープ
６  制御装置
７  送風機
８  吸気ダクト
９  排気ダクト
１０  吸気ダクト
１１  分岐型吸気ダクト
１２  延長ダクト
１３  送風機
【発明を実施するための最良の形態】
【００１５】
この発明をより詳細に説明するために、添付の図面に従ってこれを説明する。
【実施例１】
【００１６】
図１及び図２はこの発明の実施例１におけるエレベータ昇降路の熱拡散装置を示す縦断面図及び平面図である。この発明のエレベータ装置は、いわゆる機械室レスタイプのエレベータであり、昇降路１内のガイドレールに沿って走行するエレベータの乗りかご２と、昇降路内の別のガイドレールに沿って乗りかご１と反対方向に走行する釣合いおもり３と、昇降路１内の上部に配設された駆動装置４と、両端に乗りかご２と釣合いおもり３を連結して駆動装置４に巻き掛けられたロープ５と、昇降路１内の上部一側壁に配設され、駆動装置４を制御する制御装置６等とを備えている。すなわち、放出される熱により温度上昇し易い駆動装置４及び制御装置６を昇降路１内の上部に配設したものである。
そして、昇降路１内の上部の隅角部には、回転軸を垂直方向に配した送風機７が設けられている。この送風機１は、一端の吸気口が制御装置６の上方付近に配置され他端が送風機７の吸気側に取り付けられた吸気ダクト８と、一端が送風機７の排気側に取り付けられ他端の排気口が昇降路１の下方へ空気を排気するように配置された排気ダクト９とを備えている。また、排気ダクト９の他端の排気口には、必要に応じて延長ダクト１２が接続されるものである。【００１７】
このように構成されたエレベータ昇降路の熱拡散装置においては、制御装置６から放出される熱は送風機７の送風作用により、吸気ダクト８の一端吸気口から吸い込まれ、排気ダクト９に送られて昇降路１の最上部の乗りかご２停止位置より下方に放出され、乗りかご２が下降運転されることにより空気が撹拌されて熱が昇降路１の下方に拡散されることになる。さらに、上記排気ダクト９の長さを延長して排気口を最上階に停止した乗りかご２の天井より下に配置することにより、乗りかご２の下まで空気が送り込まれて、乗りかご２の下降運転により更に多量の空気が昇降路下方に押し下げられて効率よく熱が昇降路の下方に拡散される。
また、乗りかご２が最上階に停止する頻度が少ない場合には、延長ダクト１２を排気ダクト９の他端に接続することにより、乗りかご２が通常良く利用される昇降範囲の最上位の停止階に停止した乗りかご２の天井より下に排気口を配置することにより、乗りかご２の下まで空気が送り込まれて、乗りかご２の下降運転により更に多量の空気が昇降路下方に押し下げられて効率よく熱が昇降路の下方に拡散される。
なお、昇降路１の上部には温度センサー(図示せず)が設置されて、既定の温度以上になったら送風機７が動作するように構成されている。【００１８】
このような構成によれば、制御装置及び駆動装置から放出される熱を効率よく吸収してこれらの装置付近の温度上昇を防止し、昇降路上部の熱を下方に逃がして拡散する効果がある。
【実施例２】
【００１９】
図３及び図４はこの発明の実施例２におけるエレベータ昇降路の熱拡散装置を示す縦断面図及び平面図である。
上記実施例１では、送風機１の吸気側に取り付けられた吸気ダクト８の一端吸気口が制御装置６の上方付近に来るように配置されているが、この実施例２においては、送風機７の吸気側に取り付けられた吸気ダクト１０の一端吸気口が駆動装置４の付近に配置されたものである。これ以外の構成は実施例１と同じである。【００２０】
このように構成されたエレベータ昇降路の熱拡散装置においては、駆動装置４から放出される熱は送風機７の送風作用により、吸気ダクト１０の一端吸気口から吸い込まれ、排気ダクト９に送られて昇降路１の最上部の乗りかご２停止位置より下方に放出され、乗りかご２が下降運転されることにより空気が撹拌されて熱が昇降路１の下方に拡散されることになる。
【実施例３】
【００２１】
図５及び図６はこの発明の実施例３におけるエレベータ昇降路の熱拡散装置を示す縦断面図及び平面図である。
上記実施例１では、昇降路１内の上部の隅角部に、回転軸を垂直方向にした送風機７を設けているが、この実施例３においては、回転軸を水平方向にした送風機１３を乗りかご２と平面的に重なった位置でかつ乗りかご２よりも上方に配置したものである。これ以外の構成は実施例１とほぼ同じである。【００２２】
このように構成されたエレベータ昇降路の熱拡散装置においては、乗りかご２の上から送風機１３に接近できるので、保守作業員が乗りかごの上から容易に送風機の保守点検作業を行うことができる。
【実施例４】
【００２３】
図７及び図８はこの発明の実施例４におけるエレベータ昇降路の熱拡散装置を示す縦断面図及び平面図である。
上記実施例１では、送風機１の吸気側に取り付けられた吸気ダクト８の一端吸気口が制御装置６の上方付近に来るように配置され、また実施例２では、送風機７の吸気側に取り付けられた吸気ダクト１０の一端吸気口が駆動装置４の付近に配置されているが、この実施例４においては、送風機７の吸気側に取り付けられて二股状に分岐された分岐型吸気ダクト１１を備え、この分岐型吸気ダクト１１の一方の吸気口が制御装置６付近に、また他方の吸気口が駆動装置４の付近にそれぞれ配置されたものである。これ以外の構成は実施例１とほぼ同じである。【００２４】
このように構成されたエレベータ昇降路の熱拡散装置においては、制御装置６及び駆動装置４から放出される熱は送風機７の送風作用により、分岐型吸気ダクト１１の分岐された二つの吸気口から吸い込まれ、排気ダクト９に送られて昇降路１の最上部の乗りかご２停止位置より下方に放出され、乗りかご２が下降運転されることにより空気が撹拌されて熱が昇降路１の下方に拡散されることになる。
【産業上の利用可能性】
【００２５】
以上のように、この発明のエレベータ昇降路の熱拡散装置は、昇降路内の上部に駆動装置及び制御装置を配設した機械室レスエレベータにおいて、制御装置及び駆動装置から放出される熱を効率よく吸収してこれらの装置付近の温度上昇を防止し、昇降路上部の熱を下方に逃がして拡散することができる。
【図１】
0005050526.tif 000002
【図２】
0005050526.tif 000003
【図３】
0005050526.tif 000004
【図４】
0005050526.tif 000005
【図５】
0005050526.tif 000006
【図６】
0005050526.tif 000007
【図７】
0005050526.tif 000008
【図８】
0005050526.tif 000009